(57)【要約】【課題】注射針を粘膜に突き刺したときの血管からの出血を大幅に減少させ、注射後においても周辺粘膜の状態を鮮明に内視鏡観察して、粘膜切除術等を円滑に行うことができる内視鏡用注射具を提供すること。【解決手段】内視鏡の処置具案内管に挿脱される送液管２の先端に注射針３が接続された内視鏡用注射具において、注射針３の先端部分６を斜めにカットされた形状の針状に形成すると共に、注射針３の最先端部分７を鈍に形成する。【選択図】図１
2007296280.tif 000002
【特許請求の範囲】
【請求項１】
内視鏡の処置具案内管に挿脱される送液管の先端に注射針が接続された内視鏡用注射具において、
前記注射針の先端部分を斜めにカットされた形状の針状に形成すると共に、前記注射針の最先靖部分を鈍に形成したことを特徴とする内視鏡用注射具。
【請求項２】
請求項１に記載された内視鏡用注射具において、前記注射針の最先端部分が、前記斜めにカットされて形成された斜面の側方から見て丸みのある鈍な形状に形成されている内視鏡用注射具。
【請求項３】
請求項１に記載された内視鏡用注射具において、前記注射針の最先端部分が平面的に鈍に形成されている内視鏡用注射具。
【請求項４】
請求項１に記載された内視鏡用注射具において、前記注射針の最先端部分が、球状又は半球状に盛り上がっている内視鏡用注射具。
【請求項５】
請求項１から４の何れかに記載された内視鏡用注射具において、前記注射針の最先端部分が、前記斜めにカットされて形成された斜面の正面方向から見て丸みのある形状に形成されている内視鏡用注射具。
【請求項６】
請求項１から５の何れかに記載された内視鏡用注射具において、前記斜めにカットされて形成された斜面の側縁部が、前記斜面の表面と相違する方向にさらにカットされて鋭く形成されている内視鏡用注射具。
【発明の詳細な説明】
【技術分野】
【０００１】  本発明は、内視鏡用注射具に関する。
【背景技術】
【０００２】  内視鏡用注射具は、内視鏡の処置具案内管に通されて体内組織への薬液注射等に用いられるが、近年広く一般に行われるようになってきている内視鏡による粘膜切除術等においては、粘膜切除を行う前段階の処置として粘膜を隆起させる目的で、粘膜下に生理食塩水やヒアルロン酸ナトリウム等を注入するために用いられる。
そのような内視鏡用注射具は一般に、先端部分を斜めに鋭くカットすることにより針状に形成された注射針が、内視鏡の処置具案内管に挿脱される送液管の先端に接続された構成になっている（例えば、特許文献１）。
【特許文献１】  特開２００１−５８００６号公報
【発明の開示】
【発明が解決しようとする課題】
【０００３】  注射をされる人は、注射針の先端がよく尖っていて刺さり易いほど針が刺される際に痛みを感じない。そこで、従来の内視鏡用注射具の注射針は、先端を斜めにカットしてさらに鋭く研磨することにより最先端部分をできる限り鋭利に形成してある。
しかし、そのような先端が鋭く尖った注射針を粘膜に突き刺すと、注射針の最先端部分が当たる位置にある血管が、細い毛細血管も含め、注射針で切断されたり切り裂かれたりして出血が発生する。【０００４】  そのため、内視鏡による粘膜切除術の際に粘膜を隆起させるための注射を行った場合等には、その際に発生する出血により周辺粘膜の状態を満足に内視鏡観察することができなくなって、粘膜切除術を円滑に行うことができなくなる場合があった。
本発明はそのような問題を解決するためになされたものであり、注射針を粘膜に突き刺したときの血管からの出血を大幅に減少させ、注射後においても周辺粘膜の状態を鮮明に内視鏡観察して、粘膜切除術等を円滑に行うことができる内視鏡用注射具を提供することを目的とする。
【課題を解決するための手段】
【０００５】  内視鏡の処置具案内管に挿脱される送液管の先端に注射針が接続された内視鏡用注射具において、注射針の先端部分を斜めにカットされた形状の針状に形成すると共に、注射針の最先端部分を鈍に形成する。
なお、注射針の最先端部分が、斜めにカットされて形成された斜面の側方から見て丸みのある鈍な形状に形成されていてもよく、或いは平面的に鈍に形成されていてもよい。また、注射針の最先端部分が、球状又は半球状に盛り上がっていてもよい。そして、注射針の最先端部分が、斜めにカットされて形成された斜面の正面方向から見て丸みのある形状に形成されていてもよい。また、斜めにカットされて形成された斜面の側縁部が、斜面の表面と相違する方向にさらにカットされて鋭く形成されていてもよい。
【発明の効果】
【０００６】  本発明の内視鏡用注射具によれば、注射針の先端部分を斜めにカットされた形状の針状に形成すると共に、注射針の最先端部分を鈍に形成したことにより、注射針を粘膜に突き刺したときの血管からの出血を大幅に減少させ、注射後においても周辺粘膜の状態を鮮明に内視鏡観察して、粘膜切除術等を円滑に行うことができる。
【発明を実施するための最良の形態】
【０００７】  以下、図面を参照して本発明の実施の形態を具体的に説明する。
図３は内視鏡用注射具の全体構成を示しており、図示されていない内視鏡の処置具案内管内に挿脱される可撓性シース１は、例えば密着巻きの金属コイル又はフッ素樹脂チューブ等によって形成されている。可撓性シース１内には、腰の強い例えばＰＥＥＫ（ポリエーテルエーテルケトン）樹脂チューブ又はフッ素樹脂チューブ等のような可撓性チューブからなる送液管２がスライド自在に全長にわたり挿通配置され、その送液管２の先端に注射針３が接続固着されている。【０００８】  可撓性シース１の後端部分には操作者が保持するための手元保持部４が連結されていて、その手元保持部４内を通過する状態に配置された送液管２の後端部分に注液口金５が取り付けられている。したがって、注液口金５に図示されていない注射筒を接続して、その注射筒から押し出した薬液を送液管２経由で注射針３に送ることができ、矢印Ａで示されるように手元保持部４に対して注液口金５をスライド操作すれば、送液管２が可撓性シース１内でスライドして、矢印Ｂで示されるように注射針３を可撓性シース１の先端から出入りさせることができる。【０００９】  注射針３はステンレス等のような硬質の金属材又は硬質のプラスチック材等により形成されていて、図１及び図２に示されるように、注射針３の先端部分は斜めにカットされた形状の針状に形成されている。６で示される斜面がそのカット面であり、注射針３の最先端部分７以外の部分では、斜面６の外縁部が、面取りの類を施さずに鋭いエッジ状に形成されている。ただし、注射針３の最先端部分７は、斜面６の側方から見て丸みのある鈍な形状に形成されて斜面６の正面方向から見たときに最先端部分７が円弧状の丸みを有する形状になっており、図１に示されるように、鋭いエッジのない鈍な部分の厚みｅが、注射針３の肉厚ｔの４分の１〜４分の３程度の範囲（即ち、０．２５ｔ≦ｅ≦０．７５ｔ）に形成されている。【００１０】  このように構成された内視鏡用注射具は、内視鏡の処置具案内管に通されて体内組織への薬液注射等に用いられるが、注射針３の最先端部分７が鈍に形成されていることにより、粘膜に突き刺された注射針３の最先端部分７がほとんどの血管を切断したり切り裂いたりせずに押し退けながら進んで行く。血管は筋状体により形成されていて粘膜組織より硬いので、鈍に形成された注射針３の最先端部分７が粘膜に突き刺さっても、血管は軟らかい組織の方に逃げて注射針３が突き刺さらない。その結果、内視鏡による粘膜切除術において粘膜を隆起させるための注射を行う際等に、注射針３を粘膜に突き刺したときの血管からの出血が大幅に減少し、注射後においても周辺粘膜の状態を鮮明に内視鏡観察して、粘膜切除術等を円滑に行うことができる。【００１１】  図４と図５は、本発明の第２と第３の実施の形態の内視鏡用注射具の注射針３を示しており、注射針３の最先端部分７を、第２の実施の形態では注射針３の軸方向に対して垂直な向きの平面状に鈍に形成し、第３の実施の形態では球状又は半球状に盛り上がった形状に形成したものである。このように構成すれば、程度の差はあるものの第１の実施の形態と同様の作用効果を得ることができる。【００１２】  図６は本発明の第４の実施の形態の内視鏡用注射具の注��針３を示しており、斜面６の側縁部８を斜面６の表面と相違する方向にさらにカットして鋭く形成したものである。より具体的には、Ｃ−Ｃ線で切断した状態の断面図である図７に示されるように、注射針３の外周壁を斜面６の側縁部８の稜線付近から裏側に斜めにカットすることにより、斜面６の側縁部８がより鋭いエッジ状に形成されている。このように構成することにより、粘膜が側縁部８で切り開かれ易くなるので、最先端部分７を鈍に形成しても粘膜に対する穿刺性能をほとんど低下させないことができ、しかも、最先端部分７は従来の注射針の針先のように鋭く尖ったものではないので、出血はほとんど増加しない。
【図面の簡単な説明】
【００１３】
【図１】本発明の第１の実施の形態の内視鏡用注射具の注射針の先端部分の側面断面図。
【図２】本発明の第１の実施の形態の内視鏡用注射具の注射針の先端部分の斜視図。
【図３】本発明の第１の実施の形態の内視鏡用注射具の全体構成を示す側面図。
【図４】本発明の第２の実施の形態の内視鏡用注射具の注射針の先端部分の側面断面図。
【図５】本発明の第３の実施の形態の内視鏡用注射具の注射針の先端部分の斜視図。
【図６】本発明の第４の実施の形態の内視鏡用注射具の注射針の先端部分の斜視図。
【図７】本発明の第４の実施の形態の内視鏡用注射具の図６におけるＣ−Ｃ線で切断した状態の断面図。
【符号の説明】
【００１４】  ２…送液管
３…注射針
６…斜面
７…最先端部分
８…側縁部
【図１】
2007296280.tif 000003
【図２】
2007296280.tif 000004
【図３】
2007296280.tif 000005
【図４】
2007296280.tif 000006
【図５】
2007296280.tif 000007
【図６】
2007296280.tif 000008
【図７】
2007296280.tif 000009